(57)【要約】【課題】シート状の太陽電池モジュールをパイプハウス骨格に対して容易に着脱することを可能と為し、太陽電池モジュール自体を屋根材等として使用することも実現可能と為し得る、新規な構造のパイプハウス用取付部材を提供することを、目的とする。【解決手段】フレキシブル太陽電池モジュール３０の裏面に重ね合わされて固着される台座シート１２においてフレキシブル太陽電池モジュール３０の裏面に重ね合わされる固着面１４と反対側のハウス内面１６には、ハウス内面１６から突出して隙間を隔てて対向する一対の取付片１８，１８が設けられている。そして、これら一対の取付片１８，１８の対向面間にパイプハウス骨格３８を形成する骨格部材４０を嵌め入れた状態で一対の取付片１８，１８を相互に連結して骨格部材４０の抜け出しを阻止する連結保持手段２２を設けた。【選択図】図８
2011117175.tif 000002
【特許請求の範囲】
【請求項１】
太陽電池モジュールをパイプハウス骨格に取り付けるためのパイプハウス用取付部材であって、
前記太陽電池モジュールの裏面に重ね合わされて固着される台座シートを備えていると共に、該台座シートにおいて該太陽電池モジュールの裏面に重ね合わされる固着面と反対側のハウス内面には、該ハウス内面から突出して隙間を隔てて対向する一対の取付片が設けられており、該一対の取付片の対向面間に前記パイプハウス骨格における骨格部材を嵌め入れた状態で該一対の取付片を相互に連結して該骨格部材の抜け出しを阻止する連結保持手段を設けたことを特徴とするパイプハウス用取付部材。
【請求項２】
前記台座シートにおける前記ハウス内面が鏡面とされている請求項１に記載のパイプハウス用取付部材。
【請求項３】
前記台座シートが透明である請求項１に記載のパイプハウス用取付部材。
【請求項４】
前記台座シートによって光学レンズが構成されている請求項３に記載のパイプハウス用取付部材。
【請求項５】
前記一対の取付片が可撓性を有しており、該一対の取付片のそれぞれの先端縁部に設けられて互いに係合する係合部材によって前記連結保持手段が構成されていると共に、これら係合部材による係合状態が解除可能とされている請求項１〜４の何れか１項に記載のパイプハウス用取付部材。
【請求項６】
前記一対の取付片の間に跨がってファスナーを構成するファスナー部材が設けられており、該ファスナー部材によって前記係合部材が構成されている請求項５に記載のパイプハウス用取付部材。
【請求項７】
前記連結保持手段が、前記一対の取付片に掛け渡されて装着される掛渡部材によって構成されている請求項１〜４の何れか１項に記載のパイプハウス用取付部材。
【請求項８】
前記太陽電池モジュールに及ぼされる張力を緩和する引張部材の端部を取り付けるための取付部が設けられている請求項１〜７の何れか１項に記載のパイプハウス用取付部材。
【発明の詳細な説明】
【技術分野】
【０００１】
本発明は、シート状又はプレート状の太陽電池モジュールをパイプハウス用骨格へ取り付けて屋根材等として利用することを可能とする、太陽電池モジュールのパイプハウス用骨格への取付部材に関するものである。
【背景技術】
【０００２】
近年、電力の供給源の一つとして、環境に対する配慮から太陽電池を用いた太陽光発電が注目されている。例えば家屋や工場等の建築物では、その屋根上に設置したフレームに太陽電池パネルを固定して設置することにより、かかる建築物において使用する電力を太陽光発電で補う設備も実用化されている。
【０００３】
ところで、農業等の分野では、構造が簡易で設置も容易であることから、農業用ビニールハウス等のパイプハウスが利用されている。そして、かかるパイプハウスでも、ハウス内の暖房や冷房、換気等の空調設備の作動の他、耕転や収穫、吸水、施肥などの各種作業用設備の作動に際して、駆動エネルギーとしての電力が必要とされることが多い。それ故、これらの電力を太陽光発電で補うことも検討されている。
【０００４】
ところが、パイプハウスは、家屋や工場等の建築物に比して剛性や強度が小さい。それ故、パイプハウスの屋根上に太陽電池パネルを固定するフレームを設置することが極めて困難であるという問題があった。
【０００５】
なお、特開２００６−３３９６８３号公報（特許文献１）には、農業用ビニールハウス等における太陽光発電設備の適用構造の一つとして、テントや簡易ドーム状構造物におけるシート状の屋根材に対して太陽電池モジュールを縫い付けることで取り付けた構造が提案されている。しかし、大きな屋根材に対して多数の太陽電池モジュールを縫い付ける作業は極めて困難であり、屋根材の定期的交換の際には縫い付けた太陽電池モジュールが邪魔になる等の問題があって、実用的ではない。
【０００６】
また、特許文献２（特開２００１−２９１８８８号公報）には、複数の太陽電池モジュールを、袋状の外装フィルム内に移動可能に収容し、この外装フィルムをビニールハウス等の骨格に係止させた構造が提案されている。しかし、この特許文献２に記載の構造では、太陽電池モジュールを収容した外装フィルムを農業用ビニールハウスに装着するために、隣り合うハウス骨格間に跨がって係止される特別な固着具を別途に準備する必要があった。しかも、隣り合うハウス骨格間だけにしか太陽電池モジュールを配設することができず、太陽電池モジュールの配設態様が極めて制限されるという問題があった。
【先行技術文献】
【特許文献】
【０００７】
【特許文献１】特開２００６−３３９６８３号公報
【特許文献２】特開２００１−２９１８８８号公報
【発明の概要】
【発明が解決しようとする課題】
【０００８】
本発明の解決課題とするところは、シート状（プレート状等を含む）の太陽電池モジュールをパイプハウス骨格に対して容易に着脱することを可能と為し、太陽電池モジュール自体を屋根材等として使用することも実現可能と為し得る、新規な構造のパイプハウス用取付部材を提供することにある。
【課題を解決するための手段】
【０００９】
本発明の第一の態様は、太陽電池モジュールをパイプハウス骨格に取り付けるためのパイプハウス用取付部材であって、前記太陽電池モジュールの裏面に重ね合わされて固着される台座シートを備えていると共に、該台座シートにおいて該太陽電池モジュールの裏面に重ね合わされる固着面と反対側のハウス内面には、該ハウス内面から突出して隙間を隔てて対向する一対の取付片が設けられており、該一対の取付片の対向面間に前記パイプハウス骨格における骨格部材を嵌め入れた状態で該一対の取付片を相互に連結して該骨格部材の抜け出しを阻止する連結保持手段を設けたパイプハウス用取付部材を、特徴とする。
【００１０】
第一の態様に従う構造とされたパイプハウス用取付部材を利用することにより、太陽電池モジュールをパイプハウス骨格に対して直接に取り付けることが可能となる。しかも、太陽電池モジュールをパイプハウス骨格に対して着脱する作業が、一対の取付片の対向面間にパイプハウス骨格の骨格部材を嵌め入れた状態で、一対の取付片を連結状態かそうでない状態にするだけで良い。
【００１１】
従って、太陽電池モジュールそのものを屋根材等として直接使用することも出来るし、太陽電池モジュールをパイプハウス骨格に対して容易に脱着することも出来る。しかも、太陽電池モジュールに対するパイプハウス用取付部材の取付位置が特段に制限されるものではないことから、太陽電池モジュールを任意の位置で、パイプハウス用取付部材を用いて、パイプハウス骨格に対して支持せしめることが出来る。それ故、パイプハウス骨格に対する太陽電池モジュールの配設態様の設定自由度が大きく確保され得る。
【００１２】
なお、本発明において対象となる太陽電池モジュールは、具体的な材質等が限定されるものでないが、例えば太陽電池モジュールで屋根材等を形成する場合には、パイプハウス骨格に装着するのに要求される形状の自由度を有するものが好適に採用される。具体的には、例えばカルコパイライト系太陽電池等の化合物系や、有機薄膜太陽電池等の有機系の他、曲面設置可能な球状シリコン型太陽電池等のシリコン系等の、フレキシブルな太陽電池モジュールが好適に採用される。尤も、太陽電池モジュールの設置態様によっては、必ずしもフレキシブルな性能が要求されるものでなく、一般の単結晶シリコン型を含むシリコン系や各種化合物系，有機系のものが何れも本発明の対象とする太陽電池モジュールとなり得る。
【００１３】
また、かかる太陽電池モジュールが装着されるパイプハウス骨格の骨格部材としても、例えば従来構造のビニールハウスにおいて外壁（周壁や屋根材等）を構成する樹脂フィルムを支持するパイプハウス骨格をそのまま利用して、このパイプハウス骨格を骨格部材として装着することにより樹脂フィルムに代えてフレキシブル太陽電池モジュールを採用し、かかる太陽電池モジュールによってパイプハウスの外壁を構成することも可能である。或いは、そのような従来構造のビニールハウスにおいてパイプハウス骨格で支持されて外壁を構成する樹脂フィルムをそのままにして、当該外壁の内側（又は外側）に別のパイプハウス骨格を構築せしめ、このパイプハウス骨格の骨格部材に対して、本発明に係るパイプハウス用取付部材を用いて、太陽電池モジュールを支持せしめて装着することも可能である。なお、このように従来構造のビニールハウス等の外壁を残したままで、当該外壁の内側（又は外側）に太陽電池モジュールを装着する場合には、太陽電池モジュールに対して防水性等の外壁機能が必ずしも要求されないことから、太陽電池モジュールの配設形態の自由度を大きく確保できると共に、要求される取付支持強度が低くされてパイプハウス用取付部材の装着数の減少や取付構造の簡略化等も可能となる。
【００１４】
本発明の第二の態様は、第一の態様に記載のものにおいて、前記台座シートにおける前記ハウス内面が鏡面とされているようにしたものである。
【００１５】
第二の態様によれば、パイプハウス内へ入り込んできた太陽光が台座シートのハウス内面で反射される。それ故、太陽電池モジュールが太陽光を遮ってしまうことによるパイプハウス内の照度の低下を軽減若しくは回避することが出来る。
【００１６】
本発明の第三の態様は、第一又は第二の態様に記載のものにおいて、前記台座シートが透明であるようにしたものである。
【００１７】
第三の態様によれば、太陽光が台座シートを通りぬける。それ故、太陽光が台座シートで遮られてしまう不具合を回避することが出来る。このような台座シートは、例えば太陽電池モジュールの透明部分へ装着することで使用する他、太陽電池モジュール以外の透明な屋根材へ装着して使用することも好適である。
【００１８】
本発明の第四の態様は、第三の態様に記載のものにおいて、前記台座シートによって光学レンズが構成されているようにしたものである。
【００１９】
第四の態様によれば、台座シートを通りぬける太陽光を、用途等を考慮してより効率的に利用することが可能となる。例えば、光学レンズとして、プリズムや、光収束させる凸レンズ、光発散させる凹レンズ、球面レンズ等の各種レンズが適宜に採用される。例えば、プリズムを採用して、ハウス内栽培作物に有益な波長光だけを照射したり、凹レンズを使用して太陽電池モジュールの裏側へ太陽光を回り込ませて太陽電池モジュールの影による栽培作物への悪影響を軽減させること等も可能となる。
【００２０】
本発明の第五の態様は、第一〜第四の何れかの態様に記載のものにおいて、前記一対の取付片が可撓性を有しており、該一対の取付片のそれぞれの先端縁部に設けられて互いに係合する係合部材によって前記連結保持手段が構成されていると共に、これら係合部材による係合状態が解除可能とされているようにしたものである。
【００２１】
第五の態様によれば、各取付片に設けられた係合部材同士が係合することにより、一対の取付片が相互に連結される。それ故、一対の取付片を連結する際に、他部材を別途用いる必要がなくなる。
【００２２】
本発明の第六の態様は、第五の態様に記載のものにおいて、前記一対の取付片の間に跨がってファスナーを構成するファスナー部材が設けられており、該ファスナー部材によって前記係合部材が構成されているようにしたものである。
【００２３】
第六の態様によれば、ファスナーを開閉するだけで、太陽電池モジュールをパイプハウス骨格に対して脱着することが出来る。それ故、太陽電池モジュールをパイプハウス骨格に対して脱着する作業が極めて容易になる。
【００２４】
本発明の第七の態様は、第一〜第四の何れかの態様に記載のものにおいて、前記連結保持手段が、前記一対の取付片に掛け渡されて装着される掛渡部材によって構成されているようにしたものである。
【００２５】
第七の態様によれば、一対の取付片が掛渡部材で相互に連結されるから、仮に一対の取付片が何れも充分な可撓性を有しない場合等であっても、一対の取付片を連結して骨格部材の抜け出しを阻止することが可能となる。
【００２６】
本発明の第八の態様は、第一〜第七の何れかの態様に記載のものにおいて、前記太陽電池モジュールに及ぼされる張力を緩和する引張部材の端部を取り付けるための取付部が設けられているようにしたものである。
【００２７】
第八の態様によれば、太陽電池モジュールを屋根材としてパイプハウス骨格に取り付ける際に、パイプハウス骨格において異なる位置に取り付けられたパイプハウス用取付部材同士を引張部材で連結することが出来る。これにより、パイプハウス骨格に取り付けられた太陽電池モジュールに及ぼされる張力を、引張部材に分担支持させて、緩和することが可能となる。その結果、引張力の作用に起因する太陽電池モジュールの太陽電池セルの損傷や耐久性低下等の不具合を軽減又は回避することが出来る。
【発明の効果】
【００２８】
本発明に従う構造とされたパイプハウス用取付部材においては、太陽電池モジュールの裏面に装着されて、パイプハウスの骨格部材に対して取り付けられ得る。それ故、例えば太陽電池モジュールを、本発明のパイプハウス用取付部材を介して、パイプハウスの骨格部材に対して取り付けることにより、かかる太陽電池モジュールをパイプハウスの屋根材等として直接使用することも可能となる。しかも、本発明のパイプハウス用取付部材は、骨格部材に対する着脱作業を、一対の取付片の連結と解除で容易に行なうことが出来るのであり、ひいては太陽電池モジュールのパイプハウスに対する脱着作業も容易とされ得る。
【図面の簡単な説明】
【００２９】
【図１】本発明の第一の実施形態としてのパイプハウス用取付部材を示す平面図。
【図２】図１に示すパイプハウス用取付部材の側面図。
【図３】スライドファスナーを備えるパイプハウス用取付部材として採用可能な態様を説明するための側面図。
【図４】図１に示したパイプハウス用取付部材がフレキシブル太陽電池モジュールに取り付けられた状態を説明するための断面説明図。
【図５】フレキシブル太陽電池モジュールが装着されるパイプハウス骨格を示す斜視図。
【図６】フレキシブル太陽電池モジュールが屋根材としてパイプハウス骨格に装着された状態を説明するための断面説明図。
【図７】本発明の第二の実施形態としてのパイプハウス用取付部材を示す平面図。
【図８】図７に示すパイプハウス用取付部材を示す側面図。
【図９】本発明の第三の実施形態としてのパイプハウス用取付部材を示す平面図。
【図１０】図９に示すパイプハウス用取付部材を示す側面図。
【図１１】本発明の第四の実施形態としてのパイプハウス用取付部材を示す平面図。
【図１２】図１１に示すパイプハウス用取付部材を示す側面図。
【図１３】本発明の第五の実施形態としてのパイプハウス用取付部材を示す側面図。
【図１４】本発明の第六の実施形態としてのパイプハウス用取付部材を示す平面図。
【図１５】図１４に示したパイプハウス用取付部材を示す側面図。
【図１６】図１４に示すパイプハウス用取付部材の要部を拡大して示す断面図。
【図１７】本発明の第七の実施形態としてのパイプハウス用取付部材を示す平面図。
【図１８】図１７に示すパイプハウス用取付部材を示す側面図。
【図１９】本発明の第八の実施形態としてのパイプハウス用取付部材を示す側面図。
【図２０】図１９に示したパイプハウス用取付部材が取り付けられたフレキシブル太陽電池モジュールをパイプハウス骨格に装着した状態を説明するための断面説明図。
【図２１】紐状部材の要部を拡大して示す平面図。
【図２２】紐状部材のパイプハウス用取付部材への取付構造として採用可能な他の態様を説明するための側面図。
【図２３】紐状部材のパイプハウス用取付部材への取付構造として採用可能な他の態様を説明するための側面図。
【図２４】取付部の配設位置として採用可能な他の態様を説明するための側面図。
【図２５】取付部の配設位置として採用可能な更に別の態様を説明するための側面図。
【図２６】図１に示されたパイプハウス用取付部材を用いてのパイプハウス骨格に対する太陽電池モジュールの別の装着態様を示す説明図である。
【発明を実施するための形態】
【００３０】
以下、本発明を更に具体的に明らかにするために、本発明の実施形態について、図面を参照しつつ、詳細に説明する。
【００３１】
図１及び図２には、本発明の第一の実施形態としてのパイプハウス用取付部材１０が示されている。このパイプハウス用取付部材１０は、後述する太陽電池モジュール３０（図４参照）の裏面に固着されて、太陽電池モジュール３０を屋根材として後述するパイプハウス骨格３８（図７参照）へ取り付けるものである。
【００３２】
より詳細には、パイプハウス用取付部材１０は、台座シート１２を備えている。台座シート１２は、全体として矩形平板形状を呈しており、厚さ方向一方の面（以下、固着面１４と称する）と、厚さ方向他方の面（以下、ハウス内面１６と称する）が互いに平行とされている。なお、固着面１４とハウス内面１６は平行である必要はなく、フレキシブルな性状をもった太陽電池モジュール３０のパイプハウス骨格３８への装着位置等に応じて、ハウス内面１６が固着面１４に対して傾斜していても良い。これにより、フレキシブル太陽電池モジュール３０をパイプハウス骨格３８に装着する前において、フレキシブル太陽電池モジュール３０をパイプハウス骨格３８に組み付けた状態で位置決め支持することが出来る。
【００３３】
台座シート１２の形成材料は、後述するフレキシブル太陽電池モジュール３０の保護フィルム３４ａ，３４ｂと同程度の耐候性を有していることが望ましい。また、フレキシブル太陽電池モジュール３０へ装着された際に、フレキシブル太陽電池モジュール３０の重量化を回避する観点から、軽量であることが望ましい。具体的には、フッ化エチレン−エチレン共重合体，フッ化ビニリデン樹脂，３フッ化塩化エチレン樹脂，アクリル樹脂，３フッ化塩化エチレン樹脂コートアクリル樹脂，ポリエステル樹脂等の合成樹脂材料や布材料等が採用される。
【００３４】
なお、台座シート１２は、パイプハウス内で栽培される野菜等に太陽光を直接当てる観点等から無色透明であることが望ましいが、有色透明であっても良い。後述する太陽電池セル３２の裏側に固着されるのであれば、透明である必要はない。
【００３５】
また、台座シート１２の形状や大きさは、フレキシブル太陽電池モジュール３０への固着位置や必要な固着強度，固着面積等に応じて設定されるものであり、図示の如き矩形平板形状に限定されない。例えば、三角形状等の多角板形状や円板形状，楕円板形状等、各種の形状を採用することも出来る。
【００３６】
台座シート１２には、一対の取付片１８，１８が設けられている。これら一対の取付片１８，１８は、それぞれ、ハウス内面１６から略垂直に突出して形成されており、略一定の矩形断面形状でもって台座シート１２の幅方向（図１の左右方向）の略全長に亘って延びる縦壁形状を呈している。即ち、一対の取付片１８，１８は、台座シート１２の幅方向へ互いに平行に延びており、その対向面間距離が台座シート１２の幅方向で全長に亘って略一定とされている。これにより、パイプハウス用取付部材１０には、一対の取付片１８，１８の対向面間において、台座シート１２の幅方向に略一定の断面形状で延びる収容溝２０が形成されている。また、各取付片１８は、台座シート１２と同じ合成樹脂材料で台座シート１２と一体形成されていると共に、壁厚方向での湾曲変形が可能とされている。
【００３７】
また、パイプハウス用取付部材１０には、一対の取付片１８，１８の間に跨って連結保持手段（ファスナー）としてのスライドファスナー２２が配設されている。スライドファスナー２２は、各取付片１８の突出先端部分に沿って並んだ状態で取り付けられたファスナー部材（係合部材）としてのファスナーエレメント２４を備えている。また、一方の取付片１８には、一対の取付片１８，１８のそれぞれに設けられたファスナーエレメント２４，２４同士を噛合離脱させるためのスライダー２６が組み付けられている。ファスナーエレメント２４やスライダー２６は、何れも、従来から公知のものであるから、詳細な説明は省略する。
【００３８】
ところで、ファスナーエレメント２４は、取付片１８に対して直接取り付けられている必要はない。例えば、図３に示すように、取付片１８の外側面に重ね合わせられて取付片１８に固着されるテープ２８の縁に沿って並んだ状態で取り付けられていても良い。この場合、テープ２８を取付片１８へ固着する固着手段としては、接着剤やリベット等の従来から公知の各種固着手段が採用可能である。また、ファスナーエレメント２４が取付片１８に固着されるテープ２８の縁に取り付けられている場合、テープ２８において厚さ方向の湾曲変形が許容されているのであれは、各取付片１８において壁厚方向での湾曲変形が許容されている必要は必ずしもない。なお、理解を容易にするために、図３において、台座シート１２や取付片１８には、図１及び図２と同一の符号を付してある。
【００３９】
上述の如き構造とされたパイプハウス用取付部材１０は、図４に示されているように、台座シート１２の固着面１４がフレキシブル太陽電池モジュール３０の裏面に重ね合わされて接着されるようになっている。
【００４０】
フレキシブル太陽電池モジュール３０は、従来から公知のものであるから、その詳細な説明は省略するが、簡単に説明すると、直並列接続された複数枚の太陽電池セル３２の表裏両面に保護フィルム３４ａ，３４ｂが接着された構造とされている。
【００４１】
保護フィルム３４ａ，３４ｂとしては、フッ化エチレン−エチレン共重合体，フッ化ビニリデン樹脂，３フッ化塩化エチレン樹脂，アクリル樹脂，３フッ化塩化エチレン樹脂コートアクリル樹脂，ポリエステル樹脂等からなるものが採用されている。なお、台座シート１２が接着される裏側の保護フィルム３４ｂとしては、これらの樹脂材料の他、アルミ箔ラミネート１フッ素化ビニル樹脂やアルミ箔ラミネートポリエステル樹脂、防水の為の金属箔又は金属板を貼り付けたガラス繊維布やポリエステル不織布等からなるものも採用可能である。
【００４２】
フレキシブル太陽電池モジュール３０と台座シート１２の接着には、使用環境や耐候性、更には、台座シート１２や裏側の保護フィルム３４ｂとの接着性等を考慮して、適当な接着剤３６が用いられる。例えば、台座シート１２と裏側の保護フィルム３４ｂの何れもが、例示の如き樹脂材料からなる場合には、エチレン酢酸ビニル共重合体（ＥＶＡ），エポキシ樹脂，ウレタン樹脂，シリコン樹脂，アクリル樹脂，フッ素樹脂，ポリイソブチレン，テトラフルオロエチレン−ヘキサフルオロプロビレン−ビニリデンフロライド共重合体（ＴＨＶ）等からなる接着剤が採用可能である。高耐候性及び低コストの観点からは、ＥＶＡからなる接着剤が望ましい。ＴＨＶ以外の樹脂材料からなる接着剤には、紫外線吸収剤や酸化防止剤，架橋剤，カップリング剤を配合する必要があるので、作業性の観点からはＴＨＶからなる接着剤が望ましい。
【００４３】
裏側の保護フィルム３４ｂ及び台座シート１２の接着面には、接着剤３６との接着性を向上させるために、親水化表面処理を施すことが望ましい。親水化表面処理の方法としては、コロナ放電処理，プラズマ放電処理，アルカリ処理，紫外線照射処理等が採用される。
【００４４】
台座シート１２の裏側保護フィルム３４ｂに対する接着位置や接着方向，接着個数等は、フレキシブル太陽電池モジュール３０の大きさや、フレキシブル太陽電池モジュール３０の後述するパイプハウス骨格３８への装着位置，装着方向等を考慮して設定される。
【００４５】
裏面（裏側の保護フィルム３４ｂ）にパイプハウス用取付部材１０が接着されたフレキシブル太陽電池モジュール３０は、パイプハウス骨格３８の骨格部材４０に取り付けられる。パイプハウス骨格３８は、従来から公知のものであり、図５に示されているように、所定の間隔で並ぶ複数の門型骨格部材４０ａを、これら複数の門型骨格部材４０ａが並ぶ方向に延びる連結用骨格部材４０ｂで連結した構造とされている。
【００４６】
ところで、フレキシブル太陽電池モジュール３０のパイプハウス骨格３８への装着態様としては、様々な態様が考えられる。例えば、一枚のフレキシブル太陽電池モジュール３０を一つの門型骨格部材４０ａに沿って上側から重ね合わせるように装着する態様や、一枚のフレキシブル太陽電池モジュール３０をパイプハウス骨格３８の奥行方向で幾つかの門型骨格部材４０ａに掛け渡すように上側から重ね合わせて装着する態様等が考えられる。
【００４７】
これらの何れの装着態様においても、図６に示すように、パイプハウス骨格３８の骨格部材４０が一対の取付片１８，１８の対向面間に嵌め入れられて収容溝２０内に位置するようになっている。そして、一対の取付片１８，１８のそれぞれに設けられたファスナーエレメント２４，２４がスライダー２６の移動に伴って噛み合うことにより、一対の取付片１８，１８が相互に連結されて、骨格部材４０が一対の取付片１８，１８の対向面間から抜け出さないようになる。これにより、フレキシブル太陽電池モジュール３０がパイプハウス骨格３８の骨格部材４０に取り付けられる。
【００４８】
スライダー２６を逆方向に移動させれば、一対の取付片１８，１８のそれぞれに設けられたファスナーエレメント２４，２４が噛み合っていない状態となる。これにより、骨格部材４０が一対の取付片１８，１８の対向面間から抜け出せるようになる。その結果、フレキシブル太陽電池モジュール３０をパイプハウス３８から取り外すことが出来る。
【００４９】
なお、図示はしていないが、隣り合う二つのフレキシブル太陽電池モジュール３０，３０の間には、保護フィルム３４と同様な耐候性を有する透明な合成樹脂材料で形成された連結シートが配設されており、この連結シートによって、隣り合う二つのフレキシブル太陽電池モジュール３０，３０が相互に連結されている。連結シートとフレキシブル太陽電池モジュール３０の連結は、連結シートとフレキシブル太陽電池モジュール３０を適当な接着剤でもって接着することで為される。この接着剤としては、台座シート１２と裏側の保護フィルム３４ｂの接着に用いられたのと同様な接着剤が採用される。
【００５０】
パイプハウスの側壁面、即ち、奥側の壁面や出入口側の壁面、幅方向両側の壁面には、フレキシブル太陽電池モジュール３０が配設されている必要はないが、パイプハウスの設置場所等によっては、パイプハウスに朝日や西日が当たることがある。そのような場合には、パイプハウスの側壁面にフレキシブル太陽電池モジュール３０が配設されていても良い。
【００５１】
フレキシブル太陽電池モジュール３０の盗難防止のために、盗難防止機構を設けても良い。例えば、閉じられた状態のスライドファスナー２２を覆う導電部材を配設し、この導電部材がスライドファスナー２２を覆った状態で、導電部材が通電状態となるようにすると共に、導電部材を外さなければ、スライドファスナー２２を開けることが出来ないようにする。そして、導電部材を外した場合に、パイプハウス骨格３８に取り付けられたスピーカから警報音が発せられたり、警報ランプ等の照明装置が点灯又は点滅等するようにする。警報音の発生や照明装置の点灯等に代えて、或いは、警報音の発生や照明装置の点灯等に加えて、パイプハウスの所有者が有するパソコンや携帯電話機へ電子メールを送信して、パイプハウスの所有者に直接知らせるようにしても良い。盗難防止機構の作動に必要な電力は、外部給電の他、フレキシブル太陽電池モジュール３０が発電した電力を用いることで賄うことも出来る。
【００５２】
なお、警報を作動させるセンサは、上述の記載に限定されるものでない。例えば、スライドファスナー２２で開閉される両側縁部間に跨がる通電路を形成し、この通電路がスライドファスナー２２の開操作で遮断されることで警報が発令されるようにしても良い。また、スライドファスナー２２とは関係なく、フレキシブル太陽電池モジュール３０に対して適当なパターンで通電路を形成し、この通電路の一部が遮断されることで警報が発令されるようにすることも可能であり、このようにフレキシブル太陽電池モジュール３０自体に通電路を形成してセンサ機能を装備させれば、フレキシブル太陽電池モジュール３０をカッター等で切断しての盗難等にも対応することが可能となる。
【００５３】
上述の如きパイプハウス用取付部材１０においては、スライドファスナー２２を開閉するだけでフレキシブル太陽電池モジュール３０をパイプハウス骨格３８の骨格部材４０に取り付けることが出来る。それ故、フレキシブル太陽電池モジュール３０のパイプハウス骨格３８への装着作業を速やかに行うことが可能となる。
【００５４】
また、既存の屋根材に対してフレキシブル太陽電池モジュール３０を縫い付ける等して取り付ける必要もなくなるから、フレキシブル太陽電池モジュール３０のパイプハウス骨格３８への装着に多大な労力が要らなくなる。
【００５５】
加えて、フレキシブル太陽電池モジュール３０がパイプハウス骨格３８の骨格部材４０に対して直接取り付けられるから、フレキシブル太陽電池モジュール３０そのものをパイプハウスの屋根材として用いることが出来る。その結果、フレキシブル太陽電池モジュール３０のパイプハウス骨格３８への装着作業を簡単にすることが可能となる。
【００５６】
続いて、本発明の第二の実施形態としてのパイプハウス用取付部材４２について、図７及び図８に基づいて、説明する。なお、以下に記載の第二の実施形態や後述する第三〜第八の実施形態において、第一の実施形態と同様な構造とされた部材及び部位については、図中に、第一の実施形態と同一の符号を付すことにより、それらの詳細な説明を省略する。
【００５７】
本実施形態のパイプハウス用取付部材４２は、第一の実施形態のパイプハウス用取付部材（１０）に比して、スライドファスナー２２の代わりに、連結保持手段（ファスナー）としての面ファスナー４４が一対の取付片１８，１８の間に跨って配設されている。この面ファスナー４４は、鉤状のフックが植え込まれた面ファスナー構成部材４６ａとパイルが植え込まれた面ファスナー構成部材４６ｂによって構成されている。即ち、本実施形態では、これら面ファスナー構成部材４６ａ，４６ｂによって、係合部材としてのファスナー部材が構成されている。なお、面ファスナー構成部材４６ａ，４６ｂは、従来から公知のものであるから、その詳細な説明は省略する。
【００５８】
パイルが植え込まれた面ファスナー構成部材４６ｂは、一方の取付片１８の外側面に取り付けられており、フックが植え込まれた面ファスナー構成部材４６ａは、他方の取付片１８の内側面に取り付けられている。面ファスナー構成部材４６ａ，４６ｂを取付片１８に取り付ける方法としては、フックやパイルが設けられていない面を取付片１８の側面に接着する方法等が採用可能である。接着剤としては、耐候性や接着性等を考慮して適当な材料が選択される。
【００５９】
なお、面ファスナー４４としては、図示の如き態様の他にも、各面ファスナー構成部材にフックとパイルの両方が植え込まれているものであっても良い。この場合、面ファスナー構成部材の取り付け間違いが起こるのを回避することが出来るし、貼り付けと引き剥がしを繰り返しても相手側の生地が傷み難くなる。
【００６０】
また、フックがマッシュルーム状や鋸歯状とされているものを採用しても良い。この場合、面ファスナー構成部材同士の結合力を強くすることが出来る。
【００６１】
このようなパイプハウス用取付部材４２においては、一方の取付片１８をパイプハウス骨格３８の骨格部材４０に沿って重ね合わせた状態で、他方の取付片１８に取り付けられた面ファスナー構成部材４６ａを一方の取付片１８に取り付けられた面ファスナー構成部材４６ｂに重ね合わせる。これにより、一方の面ファスナー構成部材４６ａに植え込まれたフックを他方の面ファスナー構成部材４６ｂに植え込まれたパイルに引っ掛けて、一方の面ファスナー構成部材４６ａが他方の面ファスナー構成部材４６ｂに貼り付けられる。その結果、骨格部材４０が一対の取付片１８，１８の対向面間から抜け出すのが阻止されて、フレキシブル太陽電池モジュール３０がパイプハウス骨格３８の骨格部材４０に取り付けられるようになっている。
【００６２】
特に、本実施形態のパイプハウス用取付部材４２においては、一方の取付片１８を骨格部材４０の外周面に重ね合わせた状態で、面ファスナー構成部材４６ａ，４６ｂ同士が貼り付けられている。これにより、パイプハウス用取付部材４２と骨格部材４０の接触面積（取付面積）を大きく確保することが出来る。その結果、フレキシブル太陽電池モジュール３０を骨格部材４０に対してより強固に取り付けることが可能となる。
【００６３】
なお、貼り付けられた面ファスナー構成部材４６ａ，４６ｂを引き剥がせば、骨格部材４０が一対の取付片１８，１８の対向面間から抜け出せるようになる。その結果、フレキシブル太陽電池モジュール３０をパイプハウス３８から取り外すことが出来る。
【００６４】
続いて、本発明の第三の実施形態としてのパイプハウス用取付部材４８について、図９及び図１０に基づいて、説明する。本実施形態のパイプハウス用取付部材４８は、第一の実施形態のパイプハウス用取付部材（１０）に比して、スライドファスナー２２の代わりに、連結保持手段（ファスナー）としてのスナップ５０が一対の取付片１８，１８の間に跨って配設されている。
【００６５】
スナップ５０は、一方の取付片１８に取り付けられる雄型留具５２と、他方の取付片１８に取り付けられる雌型留具５４によって構成されている。即ち、本実施形態では、雄型留具５２と雌型留具５４のそれぞれによって、係合部材としてのファスナー部材が構成されている。なお、スナップ５０は、従来から公知のものであるから、その詳細な説明は省略する。
【００６６】
また、スナップ５０を構成する雄型留具５２と雌型留具５４は、それぞれ、一対の取付片１８，１８の対向面間に形成された収容溝２０の溝方向に適当な間隔で三つ設けられている。特に本実施形態では、これら雄型留具５２と雌型留具５４は、それぞれ、収容溝２０の溝方向の両端部分と中央部分に設けられている。また、各取付片１８に三つずつ設けられた雄型留具５２と雌型留具５４は、取付片１８の突出方向で互いに同じ高さに位置している。
【００６７】
なお、雄型留具５２は、収容溝２０の溝方向で同じ位置に一つしか設けられている必要はなく、複数設けられていても良い。複数の雄型留具５２が設けられている場合には、一対の取付片１８，１８の対向面間（収容溝２０）に嵌め入れられる骨格部材４０の太さに応じて、嵌着される雄型留具５２と雌型留具５４の組み合わせを変更することが出来る。これにより、一対の取付片１８，１８で骨格部材４０を締め付けることが可能となる。その結果、フレキシブル太陽電池モジュール３０を骨格部材４０に対して強固に固定することが出来る。
【００６８】
また、収容溝２０の溝方向で同じ位置に設けられた複数の雄型留具５２のそれぞれに雌型留具５４を嵌着しても良い。これにより、フレキシブル太陽電池モジュール３０の骨格部材４０への取付強度を大きくすることが出来る。
【００６９】
このようなパイプハウス用取付部材４８においては、雄型留具５２が取り付けられた一方の取付片１８を骨格部材４０の外周面に重ね合わせた状態で、雌型留具５４が取り付けられた他方の取付片１８を骨格部材４０側へ倒すように湾曲させて、雄型留具５２と雌型留具５４を嵌着する。これにより、一対の取付片１８，１８が相互に連結されて、骨格部材４０の収容溝２０からの抜け出しが阻止されている。その結果、フレキシブル太陽電池モジュール３０がパイプハウス骨格３８の骨格部材４０に取り付けられるようになっている。
【００７０】
特に本実施形態では、収容溝２０の溝方向両端部分と中央部分のそれぞれにスナップ５０が配設されているので、各取付片１８を骨格部材４０に巻き付けるようにして、雄型留具５２と雌型留具５４が嵌着される。これにより、フレキシブル太陽電池モジュール３０の骨格部材４０への接触面積（取付面積）を大きく確保することが出来る。その結果、フレキシブル太陽電池モジュール３０の骨格部材４０への取付状態を安定させることが可能となる。
【００７１】
なお、雄型留具５２と雌型留具５４を引き離せば、骨格部材４０が一対の取付片１８，１８の対向面間から抜け出せるようになる。その結果、フレキシブル太陽電池モジュール３０をパイプハウス３８から取り外すことが出来る。
【００７２】
続いて、本発明の第四の実施形態としてのパイプハウス用取付部材５６について、図１１及び図１２に基づいて、説明する。本実施形態のパイプハウス用取付部材５６は、第一の実施形態のパイプハウス用取付部材（１０）に比して、掛渡部材（連結保持手段）としてのボルト５８が一対の取付片１８，１８に跨って配設されている。また、一対の取付片１８，１８の何れもが、可撓性を有していない。
【００７３】
より詳細には、一対の取付片１８，１８のそれぞれに形成された挿通孔６０にボルト５８が挿し通されている。そして、ボルト５８に螺合されたナット６２が締め付けられることにより、ボルト５８が一対の取付片１８，１８に跨った状態で固定されている。特に本実施形態では、一対の取付片１８，１８の対向面間に形成された収容溝２０の溝方向両端部分と中央部分のそれぞれにおいて、ボルト５８が各取付片１８に形成された挿通孔６０に挿し通された状態で固定されている。
【００７４】
なお、掛渡部材は、ボルト５８に限定されない。例えば、スプリングピンや割ピン等の従来から公知の各種ピン部材や針金等であっても良い。また、掛渡部材が挿し通される挿通孔６０の内周面は金属材等で補強しても良い。
【００７５】
また、掛渡部材は、骨格部材４０を貫通した状態で、一対の取付片１８，１８の間に跨って配設されていても良い。これにより、掛渡部材そのもので骨格部材４０を位置決め固定することが出来る。
【００７６】
このようなパイプハウス用取付部材５６においては、一対の取付片１８，１８の対向面間に嵌め入れられた骨格部材４０がボルト５８に当接することで一対の取付片１８，１８の対向面間から抜け出さないようになっている。そして、このように骨格部材４０が一対の取付片１８，１８の対向面間から抜け出さないようにされることで、フレキシブル太陽電池モジュール３０が骨格部材４０に取り付けられている。
【００７７】
特に本実施形態では、一対の取付片１８，１８の何れもが可撓性を有していないことから、骨格部材４０が一対の取付片１８，１８の対向方向で移動することが制限されて、骨格部材４０が一対の取付片１８，１８の対向面間で位置決めされる。これにより、フレキシブル太陽電池モジュール３０を骨格部材４０に対して位置決めした状態で取り付けることが可能となる。その結果、フレキシブル太陽電池モジュール３０の骨格部材４０への取付作業を効率良く行うことが出来る。
【００７８】
なお、ボルト５８を一対の取付片１８，１８のそれぞれに形成された挿通孔６０，６０から引き抜けば、骨格部材４０が一対の取付片１８，１８の対向面間から抜け出せるようになる。その結果、フレキシブル太陽電池モジュール３０をパイプハウス３８から取り外すことが出来る。
【００７９】
続いて、本発明の第五の実施形態としてのパイプハウス用取付部材６４について、図１３に基づいて、説明する。本実施形態のパイプハウス用取付部材６４は、第一の実施形態のパイプハウス用取付部材（１０）に比して、台座シート１２のハウス内面１６が鏡面とされている。
【００８０】
より詳細には、台座シート１２のハウス内面１６において収容溝２０よりも外側の部分に金属薄膜６６が付着形成されており、この金属薄膜６６によってハウス内面１６が鏡面とされている。なお、ハウス内面１６に金属薄膜６６を付着形成する方法としては、アルミニウム等の金属材料をハウス内面１６に蒸着する方法等が採用される。また、金属薄膜６６は、ハウス内面１６の他に、各取付片１８の外側面に付着形成されていても良い。
【００８１】
このようなパイプハウス用取付部材６４においては、パイプハウス骨格３８に装着された複数のフレキシブル太陽電池モジュール３０のうち隣り合う二つのフレキシブル太陽電池モジュール３０，３０の間に形成された隙間等からパイプハウス内に差し込む太陽光がハウス内面１６で反射する。それ故、フレキシブル太陽電池モジュール３０が太陽光を遮っていても、パイプハウス内を全体的に明るして、パイプハウス内の光量をパイプハウス内で栽培する野菜等の光合成に適したものにすることが出来る。
【００８２】
続いて、本発明の第六の実施形態としてのパイプハウス用取付部材６８について、図１４〜１６に基づいて、説明する。本実施形態のパイプハウス用取付部材６８は、第一の実施形態のパイプハウス用取付部材（１０）に比して、台座シート７０が異なっている。
【００８３】
本実施形態の台座シート７０は、隣り合う二つのフレキシブル太陽電池モジュール３０，３０を相互に連結する連結シートによって構成されている。台座シートは、一対の矩形シート状部材７２ａ，７２ｂが互いに連結された構造とされている。
【００８４】
一対の矩形シート状部材７２ａ，７２ｂは、それぞれ、裏側の保護フィルム３４ｂと同様に、耐候性に優れた透明な合成樹脂材料で形成されており、幅方向（図１４及び図１５の左右方向）一方の端縁部がフレキシブル太陽電池モジュール３０の裏面（裏側の保護フィルム３４ｂ）に重ね合わされて接着される固着縁部７４ａ，７４ｂとされている。なお、矩形シート状部材７２ａ，７２ｂとフレキシブル太陽電池モジュール３０の接着には、台座シート１２とフレキシブル太陽電池モジュール３０（裏側の保護フィルム３４ｂ）の接着に用いられる接着剤と同様な接着剤が採用される。
【００８５】
裏側の保護フィルム３４ｂと矩形シート状部材７２ａ，７２ｂの接着面には、それぞれ、使用する接着剤との接着性を向上させるために、コロナ放電処理，プラズマ放電処理，アルカリ処理，紫外線照射処理等の親水化表面処理を施すことが望ましい。
【００８６】
また、各矩形シート状部材７２ａ，７２ｂにおいて固着縁部７４ａ，７４ｂとは幅方向で反対側に位置する端縁部には、裏側延出片７６ａ，７６ｂと表側延出片７８ａ，７８ｂが設けられている。裏側延出片７６ａ，７６ｂは、従来から公知の防水性スライドファスナー８０を構成する防水ファスナー部材８２ａ，８２ｂによって構成されている。
【００８７】
防水ファスナー部材８２ａ，８２ｂは、従来から公知であるから、その詳細な説明は省略するが、簡単に説明すると、織成又は編成した帯状芯材にエラストマー樹脂等にて防水層を形成した防水性ファスナーテープ８４ａ，８４ｂの片側縁部の表裏両面に複数の合成樹脂製ファスナーエレメント８６ａ，８６ｂを射出成形したものである。
【００８８】
このような防水ファスナー部材８２ａ，８２ｂは、各矩形シート状部材７２ａ，７２ｂにおいて固着縁部７４ａ，７４ｂとは幅方向で反対側に位置する端縁部の裏面に重ね合わされて固着されている。防水ファスナー部材８２ａ，８２ｂにおいてファスナーエレメント８６ａ，８６ｂが並んで形成された端縁部は、矩形シート状部材７２ａ，７２ｂへの固着位置よりも幅方向外方に位置している。なお、防水ファスナー部材８２ａ，８２ｂと矩形シート状部材７２ａ，７２ｂの固着には、耐候性等を考慮して選択された接着剤を用いても良いし、水密性リベットやシールワッシャ付リベット，プリコーティング剤付リべット，水密性ビス，Ｏリング付防水ビス，プリコーティング剤付タッピングビス等の従来から公知の水密性締結部材を用いても良い。或いは、防水ファスナー部材８２ａ，８２ｂを矩形シート状部材７２７２ａ，７２ｂと一体形成することで、防水ファスナー部材８２ａ，８２ｂを矩形シート状部材７２ａ，７２ｂに固着しても良い。
【００８９】
一方、表側延出片７８ａ，７８ｂは、各矩形シート状部材７２ａ，７２ｂにおいて固着縁部７４ａ，７４ｂとは幅方向で反対側に位置する端縁部と一体形成されており、この端縁部から幅方向外方へ延び出している。そして、表側延出片７８ａ，７８ｂの延出端縁部によって、保護部８８ａ，８８ｂが形成されている。
【００９０】
上述の如き一対の矩形シート状部材７２ａ，７２ｂは、防水ファスナー部材８２ａ，８２ｂにおいてファスナーエレメント８６ａ，８６ｂが並んで形成された端縁部を突き合わせた状態で、一方の防水ファスナー部材８２ａに組み付けられたスライダー９０を移動させることにより、一方の防水ファスナー部材８２ａと他方の防水ファスナー部材８２ｂのそれぞれに設けられたファスナーエレメント８６ａ，８６ｂが噛み合うようになっている。これにより、一方の防水ファスナー部材８２ａと他方の防水ファスナー部材８２ｂ、延いては、一対の矩形シート状部材７２ａ，７２ｂが相互に連結される。その結果、隣り合う二つのフレキシブル太陽電池モジュール３０，３０が連結されるようになっている。
【００９１】
また、防水ファスナー部材８２ａ，８２ｂが相互に連結された状態（防水性スライドファスナー８０が閉じられた状態）で、防水性スライドファスナー８０よりもフレキシブル太陽電池モジュール３０の表面側において、一方の矩形シート状部材７２ａに設けられた保護部８８ａと他方の矩形シート状部材７２ｂに設けられた保護部８８ｂが重ね合わされている。そして、互いに重ね合わされた保護部８８ａ，８８ｂ同士が水密性リベット９２で相互に連結されることにより、防水性スライドファスナー８０がフレキシブル太陽電池モジュール３０の表面側から保護部８８ａ，８８ｂによって保護されている。水密性リベット９２としては、従来から公知のものが採用される。水密性リベット９２に代えて、シールワッシャ付リベット等の従来から公知の水密性締結部材を用いても良い。
【００９２】
このような台座シート７０を構成する各矩形シート状部材７２ａ，７２ｂの裏面９３ａ．９３ｂ（ハウス内面）に対して、一対の取付片１８，１８が突設されている。
【００９３】
また、各矩形シート状部材７２ａ，７２ｂの裏面９３ａ，９３ｂにおいて、一対の取付片１８，１８の対向面間に形成された収容溝２０よりも溝幅方向外側には、複数の光学レンズ９４が矩形シート状部材７２ａ，７２ｂの長手方向（図１４の上下方向）に一列に並んで形成されている。光学レンズ９４は、表面屈折を利用したレンズであり、例えば、球面レンズや非球面レンズ，シリンドリカルレンズ，フレンネルレンズである。本実施形態の光学レンズ９４は平凹レンズであり、矩形シート状部材７２ａ，７２ｂの長手方向（図１４の上下方向）に適当な間隔で複数形成されている。光学レンズ９４は、各矩形シート状部材７２ａ，７２ｂの裏面９３ａ，９３ｂだけに形成されている必要はなく、各矩形シート状部材７２ａ，７２ｂの表面側だけに形成されていても良いし、各矩形シート状部材７２ａ，７２ｂの表裏両面に形成されていても良い。なお、矩形シート状部材７２ａ，７２ｂに光学レンズ９４を形成する方法としては、例えば、矩形シート状部材７２ａ，７２ｂの裏面９３ａ，９３ｂに対して、凹レンズの逆型（凸型）を押圧することにより、矩形シート状部材７２ａ，７２ｂの裏面にレンズ形状を付与する方法等が採用される。光学レンズ９４の形成に際しては、光学レンズ９４を形成することによる矩形シート状部材７２ａ，７２ｂの強度の低下等を考慮して、光学レンズ９４の形状や大きさ等が設定される。
【００９４】
このようなパイプハウス用取付部材６８においては、台座シート７０が透明とされているから、太陽光が台座シート７０を透過する。それ故、台座シート７０が太陽光を遮らないようにすることが可能となる。その結果、パイプハウスの採光量を大きく確保することが出来る。
【００９５】
また、矩形シート状部材７２ａ，７２ｂを透過する太陽光が光学レンズ９４に入射して反射光となり、フレキシブル太陽電池モジュール３０の方へ回り込む。これにより、太陽光そのものが入射する場合に生じるフレキシブル太陽電池モジュール３０の影と矩形シート状部材７２ａ，７２ｂを透過した太陽光が照らす明るい部分からなる縞模様が生じるのを回避することが出来る。その結果、パイプハウス内を均等に明るくすることが可能となる。
【００９６】
なお、光学レンズ９４としては、凸レンズを採用することも出来る。凸レンズの場合、凸レンズを透過した太陽光は、フレキシブル太陽電池モジュール３０に近い位置で一端集光するが、その後は発散光となるので、凹レンズの場合と同様な効果を得ることが出来る。
【００９７】
また、一対の取付片１８，１８が、各矩形シート状部材７２ａ，７２ｂに設けられているから、例えば、第一の実施形態のパイプハウス用取付部材１０をフレキシブル太陽電池モジュール３０に対して別々に固着する場合に比して、フレキシブル太陽電池モジュール３０に台座シート７０（台座シート１２）を固着する作業に要する時間が短くなる。
【００９８】
また、台座シート７０を構成する一対の矩形シート状部材７２ａ，７２ｂが防水性スライドファスナー８０で連結されるようになっていることから、矩形シート状部材７２ａ，７２ｂが予め固着されたフレキシブル太陽電池モジュール３０を一枚ずつパイプハウス骨格３８の骨格部材４０に取り付けることが出来る。それ故、予め連結された複数のフレキシブル太陽電池モジュール３０をパイプハウス骨格３８の骨格部材４０に取り付ける場合に比して、フレキシブル太陽電池モジュール３０において風を受ける面積が小さくなる。その結果、フレキシブル太陽電池モジュール３０が風で煽られて落下する等してフレキシブル太陽電池モジュール３０が損傷する等の不具合を回避することが可能となる。
【００９９】
一対の矩形シート状部材７２ａ，７２ｂが防水性スライドファスナー８０で連結されているから、パイプハウス内への雨水等の侵入を効果的に防止することが出来る。
【０１００】
また、防水性スライドファスナー８０の外側が保護部８８ａ，８８ｂで覆われている。これにより、パイプハウス内への雨水等の侵入をより効果的に防止することが出来る。
【０１０１】
続いて、本発明の第七の実施形態としてのパイプハウス用取付部材９６について、図１７及び図１８に基づいて、説明する。本実施形態のパイプハウス用取付部材９６は、第一の実施形態のパイプハウス用取付部材（１０）に比して、台座シート９８が異なっている。
【０１０２】
より詳細には、台座シート９８は、隣り合う二つのフレキシブル太陽電池モジュール３０，３０を相互に連結する連結シートによって構成されている。台座シート９８は、互いに連結される一対の矩形シート状部材７２ａ，７２ｂと、これら一対の矩形シート状部材７２ａ，７２ｂの間に配設された中間シート状部材１００が互いに連結された構造とされている。なお、一対の矩形シート状部材７２ａ，７２ｂは、第六の実施形態で採用したものと同じであるから、図中に、第六の実施形態と同一の符号を付すことにより、その詳細な説明は省略する。
【０１０３】
中間シート状部材１００は、裏側の保護フィルム３４ｂと同様な透明の合成樹脂材料で形成されており、全体として矩形形状を呈している。中間シート状部材１００の幅方向両側の端縁部には、それぞれ、裏側延出片１０２ａ，１０２ｂと表側延出片１０４ａ，１０４ｂが設けられている。
【０１０４】
裏側延出片１０２ａ，１０２ｂは、矩形シート状部材７２ａ，７２ｂに設けられた防水ファスナー部材８２ａ，８２ｂと協働して防水性スライドファスナー８０ａ、８０ｂを構成する防水ファスナー部材１０６ａ，１０６ｂによって構成されている。
【０１０５】
防水ファスナー部材１０６ａ，１０６ｂは、従来から公知であるから、その詳細な説明は省略するが、簡単に説明すると、織成又は編成した帯状芯材にエラストマー樹脂等にて防水層を形成した防水性ファスナーテープ１０７ａ，１０７ｂの片側縁部の表裏両面に複数の合成樹脂製ファスナーエレメント１０８ａ，１０８ｂを射出成形したものである。
【０１０６】
このような防水ファスナー部材１０６ａ，１０６ｂは、それぞれ、中間シート状部材１００の幅方向両側の端縁部の裏面に重ね合わされて固着されている。防水ファスナー部材１０６ａ，１０６ｂにおいてファスナーエレメント１０８ａ，１０８ｂが並んで形成された端縁部は、中間シート状部材１００への固着位置よりも幅方向外方に位置している。なお、防水ファスナー部材１０６ａ，１０６ｂと中間シート状部材１００の固着には、耐候性等を考慮して選択された接着剤を用いても良いし、水密性リベット等の従来から公知の水密性締結部材を用いても良い。或いは、防水ファスナー部材１０６ａ，１０６ｂを中間シート状部材１００と一体形成することで、防水ファスナー部材１０６ａ，１０６ｂを中間シート状部材１００に固着しても良い。
【０１０７】
一方、表側延出片１０４ａ，１０４ｂは、中間シート状部材１００の幅方向端縁部と一体形成されており、この端縁部から幅方向外方へ延び出している。そして、表側延出片１０４ａ，１０４ｂの延出端縁部によって、保護部１１０ａ，１１０ｂが形成されている。
【０１０８】
上述の如き中間シート状部材１００は、防水ファスナー部材１０６ａ，８２ａにおいてファスナーエレメント１０８ａ，８６ａが並んで形成された端縁部を突き合わせた状態で、一方の防水ファスナー部材８２ａに組み付けられたスライダー９０ａを移動させることにより、防水ファスナー部材１０６ａ，８２ａに設けられたファスナーエレメント１０８ａ，８６ａが噛み合うようになっている。これにより、矩形シート状部材７２ａと中間シート状部材１００が相互に連結される。
【０１０９】
また、防水ファスナー部材１０６ｂ，８２ｂにおいてファスナーエレメント１０８ｂ，８６ｂが並んで形成された端縁部を突き合わせた状態で、一方の防水ファスナー部材１０６ｂに組み付けられたスライダー９０ｂを移動させることにより、防水ファスナー部材１０６ｂ，８２ｂに設けられたファスナーエレメント１０８ｂ，８６ｂが噛み合うようになっている。これにより、矩形シート状部材７２ｂと中間シート状部材１００が相互に連結される。
【０１１０】
そして、上述の如く一対の矩形シート状部材７２ａ，７２ｂと中間シート状部材１００が連結されることで、台座シート９８が形成されるようになっており、この台座シート９８によって、隣り合う二つのフレキシブル太陽電池モジュール３０，３０が相互に連結される。
【０１１１】
また、防水ファスナー部材１０６ａ，８２ａが相互に連結された状態（防水性スライドファスナー８０ａが閉じられた状態）で、防水性スライドファスナー８０ａよりもフレキシブル太陽電池モジュール３０の表面側において、一方の矩形シート状部材７２ａに設けられた保護部８８ａと中間シート状部材１００ａに設けられた保護部１１０ａが重ね合わされている。そして、互いに重ね合わされた保護部８８ａ，１１０ａ同士が水密性リベット９２ａで相互に連結されることにより、防水性スライドファスナー８０ａがフレキシブル太陽電池モジュール３０の表面側から保護部８８ａ，１１０ａによって保護されている。
【０１１２】
また、防水ファスナー部材１０６ｂ，８２ｂが相互に連結された状態（防水性スライドファスナー８０ｂが閉じられた状態）で、防水性スライドファスナー８０ｂよりもフレキシブル太陽電池モジュール３０の表面側において、一方の矩形シート状部材７２ｂに設けられた保護部８８ｂと中間シート状部材１００ｂに設けられた保護部１１０ｂが重ね合わされている。そして、互いに重ね合わされた保護部８８ｂ，１１０ｂ同士が水密性リベット９２ｂで相互に連結されることにより、防水性スライドファスナー８０ｂがフレキシブル太陽電池モジュール３０の表面側から保護部８８ｂ，１１０ｂによって保護されている。
【０１１３】
なお、水密性リベット９２ａ，９２ｂとしては、従来から公知のものが採用される。また、水密性リベット９２ａ，９２ｂに代えて、シールワッシャ付リベット等の従来から公知の水密性締結部材を用いても良い。
【０１１４】
このようなパイプハウス用取付部材９６においては、台座シート９８が透明とされているから、太陽光が台座シート９８を透過する。それ故、台座シート９８が太陽光を遮らないようにすることが可能となる。その結果、パイプハウスの採光量を大きく確保することが出来る。
【０１１５】
なお、本実施形態において、第六の実施形態と同様に、矩形シート状部材７２ａ，７２ｂや中間シート状部材１００に光学レンズ９４を形成することも、勿論、可能である。それによって、パイプハウス内を均一に明るくすることが出来る。
【０１１６】
また、台座シート７０を構成する一対の矩形シート状部材７２ａ，７２ｂと中間シート状部材１００が防水性スライドファスナー８０ａ，８０ｂで連結されるようになっていることから、矩形シート状部材７２ａ，７２ｂが予め固着されたフレキシブル太陽電池モジュール３０を一枚ずつパイプハウス骨格３８の骨格部材４０に取り付けることが出来る。それ故、予め連結された複数のフレキシブル太陽電池モジュール３０をパイプハウス骨格３８の骨格部材４０に取り付ける場合に比して、フレキシブル太陽電池モジュール３０において風を受ける面積が小さくなる。その結果、フレキシブル太陽電池モジュール３０が風で煽られて落下する等してフレキシブル太陽電池モジュール３０が損傷する等の不具合を回避することが可能となる。
【０１１７】
矩形シート状部材７２ａと中間シート状部材１００が防水性スライドファスナー８０ａで連結されていると共に、矩形シート状部材７２ｂと中間シート状部材１００が防水性スライドファスナー８０ｂで連結されているから、パイプハウス内への雨水等の侵入を効果的に防止することが出来る。
【０１１８】
また、防水性スライドファスナー８０ａの外側が保護部８８ａ，１１０ａで覆われていると共に、防水性スライドファスナー８０ｂの外側が保護部８８ｂ，１１０ｂで覆われている。これにより、パイプハウス内への雨水等の侵入をより効果的に防止することが出来る。
【０１１９】
続いて、本発明の第八の実施形態としてのパイプハウス用取付部材１１２について、図１９に基づいて、説明する。本実施形態のパイプハウス用取付部材１１２は、第一の実施形態のパイプハウス用取付部材（１０）に比して、取付片１８の外側面に取付部としての係止片１１４が突設されている。
【０１２０】
係止片１１４は、矩形ブロック形状を呈しており、収容溝２０の高さ方向に延びる係止孔１１６を備えている。
【０１２１】
このようなパイプハウス用取付部材１１２が取り付けられたフレキシブル太陽電池モジュール３０がパイプハウス骨格３８に装着される場合、図２０に示されているように、引張部材としての紐状部材１１８の端部を固定することが出来る。
【０１２２】
紐状部材１１８は、パイプハウス骨格１６において奥行方向で隣りに位置する二つの門型骨格部材４０ａ，４０ａのそれぞれに取り付けられたパイプハウス用取付部材１１２，１１２を相互に連結するものであって、図２１に示されているように、二つの分割紐状体１２０，１２０が連結部材１２２で連結された構造とされている。
【０１２３】
各分割紐状体１２０としては、要求される引張力に対して充分な剛性と耐久性を備えたものが適宜に採用される。具体的には、例えばピアノ線やワイヤ，ロープ等で形成される。そして、この分割紐状体１２０には、一端側に連結軸１２４が設けられていると共に、他端側に係止フック１２６が設けられている。連結軸１２４には、分割紐状体１２０との連結側とは反対側の軸方向端面に開口する連結穴１２７が形成されており、連結穴１２７の内周面にはねじ溝が形成されている。
【０１２４】
一方、連結部材１２２は、軸方向にストレートに延びるロッド形状を呈しており、軸方向両端部のそれぞれの外周面には、連結軸１２４に設けられた連結穴１２７の内周面に形成されたねじ溝と対応するねじ山が形成されている。
【０１２５】
このような連結部材１２２の軸方向一端部が一方の分割紐状体１２０に設けられた連結軸１２４の連結穴１２７に螺入されると共に、軸方向他端部が他方の分割紐状体１２０に設けられた連結軸１２４の連結穴１２７に螺入されることにより、二つの分割紐状体１２０，１２０が連結部材１２２で連結された紐状部材１１８が形成される。
【０１２６】
そして、紐状部材１１８は、一方の分割紐状体１２０に設けられた係止フック１２６が一方の門型骨格部材４０ａに取り付けられたパイプハウス用取付部材１１２を構成する取付片１８の外側面に突設された係止片１１４の係止孔１１６に係止されると共に、他方の分割紐状体１２０に設けられた係止フック１２６が他方の門型骨格部材４０ａに取り付けられたパイプハウス用取付部材１１２を構成する取付片１８の外側面に突設された係止片１１４の係止孔１１６に係止される。これにより、パイプハウス骨格３８の奥行方向で隣りに位置する二つの門型骨格部材４０ａ，４０ａのそれぞれに取り付けられたパイプハウス用取付部材１１２，１１２同士が紐状部材１１８で相互に連結される。
【０１２７】
本実施形態のパイプハウス用取付部材１１２を用いてフレキシブル太陽電池モジュール３０をパイプハウス骨格３８に装着すれば、紐状部材１１８で連結されたパイプハウス用取付部材１１２，１１２の離隔距離、延いては、これらのパイプハウス用取付部材１１２，１１２が固着されたフレキシブル太陽電池モジュール３０の離隔距離が大きく変化するものを防止出来る。即ち、フレキシブル太陽電池モジュール３０をパイプハウス骨格３８に装着することに起因してフレキシブル太陽電池モジュール１２に及ぼされる張力（パイプハウス骨格３８の奥行方向に作用する張力）を負担して緩和することが可能となる。その結果、フレキシブル太陽電池モジュール３０の太陽電池セル３２が損傷する等の不具合の発生を防ぐことが出来る。
【０１２８】
連結部材１２２の連結軸１２４への螺入深さを変更すれば、紐状部材１１８の長さを変更することが出来る。これにより、パイプハウス骨格３８において隣りに位置する二つ門型骨格部材４０ａ，４０ａ毎に離隔距離が異なっていても、これら二つの門型骨格部材４０ａ，４０ａの間に配される紐状部材１１８の長さを変更することでフレキシブル太陽電池モジュール３０に及ぼされる張力を緩和することが出来る。
【０１２９】
気温の変化等によって分割紐状体１２０の長さが変化した場合等において、連結部材１２２の連結軸１２４への螺入深さを変更すれば、紐状部材１１８を所期の長さに設定し直すことが出来る。
【０１３０】
二つの門型骨格部材４０ａ，４０ａの間に配設した状態で、紐状部材１１８の長さを調節することが出来る。これにより、紐状部材１１８を取り外してから長さ調節する必要がなくなる。その結果、紐状部材１１８の長さ調節作業が極めて容易になる。
【０１３１】
紐状部材１１８の端部を取付片１８に取り付ける構造としては、図１９に示したように、係止フック１２６を係止片１１４の係止孔１１６に係止させる構造の他、例えば、図２２に示されている構造を採用することも出来る。図２２においては、分割紐状体１２０の他端側にも連結軸１２４を設けると共に、ねじ山が外周面に形成された軸部１２８を取付片１８の外側面に突設して、軸部１２８を連結軸１２４の連結穴１２７に螺入することにより、紐状部材１１８の端部を取付片１８に取り付けるようにしても良い。
【０１３２】
或いは、図２３に示されているように、取付片１８の外側面から垂直に延び出した板状片１３０に開口形成された挿通孔１３２と、分割紐状体９０の他端側に設けられた板状片１３４に開口形成された挿通孔１３６にボルト１３８を挿通配置し、このボルト１３８にナット１４０を螺合することにより、紐状部材１１８の端部を取付片１８に取り付けるようにしても良い。
【０１３３】
また、取付部としての係止片１１４は、取付片１８に設けられている必要はない。例えば、図２４に示されているように、台座シート１２のハウス内面１６に設けられていても良い。或いは、図２５に示されているように、台座シート１２の側面に設けられていても良い。取付部を台座シート１２の側面に設ける場合には、必要に応じて台座シート１２の厚さ寸法を大きくしても良い。
【０１３４】
また、取付部（係止片１１４）は、両方の取付片１８に設けられている必要はなく、何れか一方の取付片１８だけに設けられていても良いが、汎用性の観点から、両方の取付片１８に設けられていることが望ましい。台座シート１２に設けられた取付部と、取付片１８に設けられた取付部を組み合わせて採用することも出来る。
【０１３５】
なお、本実施形態では、パイプハウス骨格３８の奥行方向で隣りに位置する二つの門型骨格部材４０ａ，４０ａのそれぞれに取り付けられたパイプハウス用取付部材１１２，１１２同士を紐状部材８６で連結するようにしたが、例えば、一つの門型骨格部材４０ａにおいて異なる位置に取り付けられたパイプハウス用取付部材１１２，１１２同士を紐状部材１１８で連結するようにしても良い。この場合、気温の変化等に起因して門型骨格部材４０ａが変形した場合等において、門型骨格部材４０ａが延びる方向に沿ってフレキシブル太陽電池モジュール３０に作用する張力を緩和することが出来る。
【０１３６】
また、本実施形態では、連結部材１２２の連結軸１２４への螺入深さを変更することで紐状部材１１８の長さを変更する構造が採用されていたが、例えば、連結部材１２２の代わりに、コイルスプリングを採用し、このコイルスプリングによって、二つの分割紐状体１２０，１２０を連結しても良い。これにより、気温の変化等に起因して分割紐状体１２０の長さが変化した場合等において、コイルスプリングの長さが変わることにより、紐状部材の全体長さを所期の長さに保つことが出来る。その結果、紐状部材の長さが適当に設定されているか否かの確認作業をしなくて済む。
【０１３７】
また、隣り合う二つの門型骨格部材４０ａ，４０ａ毎に離隔距離が異なっていても、紐状部材の長さを設定する必要がなくなる。その結果、紐状部材の配設作業が簡単になる。
【０１３８】
さらに、本発明に従うパイプハウス用取付部材を用いて太陽電池モジュールが取り付けられる骨格部材は、前述の実施形態に示すようにパイプハウスにおいて外壁シート（樹脂フィルム）を支持せしめるパイプハウス骨格３８である必要はない。例えば、従来構造のビニールハウスにおいてパイプハウス骨格で支持されて外壁を構成する樹脂フィルムをそのままにして、当該外壁の内側（又は外側）に、当該外壁の樹脂フィルムを支持するパイプハウス骨格と同様な構造をもって、当該パイプハウス骨格に比して一回り小さい（又は大きい）別のパイプハウス骨格を構築せしめ、この別に構築したパイプハウス骨格を骨格部材として、本発明に係るパイプハウス用取付部材を用いて、太陽電池モジュールを支持せしめて装着することも可能である。
【０１３９】
或いは、図２６に例示されているように、上述のように外壁の樹脂フィルムを支持するパイプハウス骨格、又は、当該パイプハウス骨格に加えて構築された一回り小さい（又は大きい）別のパイプハウス骨格４０ａ，４０ｂに対して、適当なサドル部材やクランプ部材等の連結部材２２２を用いて、パイプ等の取付用軸部材２２０を固定的に支持せしめてサブ骨格を構成し、このサブ骨格としての取付用軸部材２２０を本発明の骨格部材として、当該取付用軸部材２２０に対して、本発明に従う構造とされたパイプハウス用取付部材１０を用いて、太陽電池モジュール２２６を装着支持せしめるようにしても良い。かかる太陽電池モジュール２２６は、例えば複数の太陽電池セル２２４を電気接続したものであり、図示しない出力線を通じて電力を外部出力するようになっている。なお、かかるサブ骨格としての取付用軸部材２２０は、単に太陽電池モジュールの取付用骨格としてだけでなく、パイプハウス骨格４０ａ，４０ｂに対する補強用骨格としても利用することが可能である。
【０１４０】
なお、図２６において、太陽電池モジュール２２６は、パイプハウス骨格４０ａ，４０ｂで支持される外壁としての樹脂フィルムから、ハウス内方に所定距離だけ離れて配設されることが望ましい。また、本態様における太陽電池モジュールは、その大きさを適当に設定することにより、平板形状で且つフレキシブルでないものも採用可能である。また、かかる太陽電池モジュール２２６として、大形のものを採用する場合には、例えば、パイプハウス骨格４０ａ，４０ｂに固定的に支持された取付用軸部材２２０を複数箇所に設けて、それら複数の取付用軸部材２２０に対して、太陽電池モジュール２２６を、パイプハウス用取付部材１０により、複数箇所で支持せしめるようにしても良い。
【０１４１】
以上、本発明の実施形態について詳述したが、本発明はその具体的な記載によって限定されない。例えば、台座シート１２と取付片１８を異なる材料で形成するようにしても良い。具体的には、例えば、端縁部に沿ってファスナーエレメント２４が並んだテープ２８（図３参照）によって取付片１８を構成するようにしても良い。
【０１４２】
一対の矩形シート状部材７２ａ，７２ｂを連結する連結手段や各矩形シート状部材７２ａ，７２ｂと中間シート状部材１００を連結する連結手段としては、従来から公知の面ファスナーやスナップであっても良いが、防水機能を発揮する観点から、前記第六及び第七の実施形態で示した防水性スライドファスナーや、一方の側に設けられた凸状レールが他方の側に設けられた凹状レールに嵌め入れられるレールファスナー等が好適に採用される。
【符号の説明】
【０１４３】
１０：パイプハウス用取付部材，１２：台座シート，１４：固着面，１６：ハウス内面，１８：取付片，２２：スライドファスナー（連結保持手段），２４：ファスナーエレメント（係合部材，ファスナー部材），３０：フレキシブル太陽電池モジュール，３８：パイプハウス骨格，４０：骨格部材，５８：ボルト（掛渡部材），９４：光学レンズ
【図１】
2011117175.tif 000003
【図２】
2011117175.tif 000004
【図３】
2011117175.tif 000005
【図４】
2011117175.tif 000006
【図５】
2011117175.tif 000007
【図６】
2011117175.tif 000008
【図７】
2011117175.tif 000009
【図８】
2011117175.tif 000010
【図９】
2011117175.tif 000011
【図１０】
2011117175.tif 000012
【図１１】
2011117175.tif 000013
【図１２】
2011117175.tif 000014
【図１３】
2011117175.tif 000015
【図１４】
2011117175.tif 000016
【図１５】
2011117175.tif 000017
【図１６】
2011117175.tif 000018
【図１７】
2011117175.tif 000019
【図１８】
2011117175.tif 000020
【図１９】
2011117175.tif 000021
【図２０】
2011117175.tif 000022
【図２１】
2011117175.tif 000023
【図２２】
2011117175.tif 000024
【図２３】
2011117175.tif 000025
【図２４】
2011117175.tif 000026
【図２５】
2011117175.tif 000027
【図２６】
2011117175.tif 000028